(57)【特許請求の範囲】
【請求項１】
トッププレートを具備した電磁調理器の加熱コイルを駆動するインバータ回路に対し、オンされた状態で交流電源から給電する電源スイッチと、この電源スイッチと前記交流電源との間に介在された輻射ノイズ抑制用のＬＣフィルタ回路とを備えた電源装置において、
前記ＬＣフィルタ回路内のライン間コンデンサの充電電荷を放電するために設けられ、常時において前記交流電源から切り離された放電用抵抗と、
前記ライン間コンデンサを前記交流電源の両端に接続した第１の状態と前記ライン間コンデンサを前記放電用抵抗の両端に接続した第２の状態とに切り替わるスイッチ要素と、
前記インバータ回路内のスイッチング素子の温度を検出するスイッチング素子用温度センサまたは前記加熱コイルによる加熱温度を検出するトッププレート用温度センサからの検出信号が入力される制御手段を備え、
前記制御手段は、前記電源スイッチがオンのときに前記スイッチ要素を前記第１の状態に切り替え、前記電源スイッチがオフで且つ前記スイッチング素子用温度センサまたはトッププレート用温度センサによる検出温度が所定温度以下に低下したときに前記スイッチ要素を前記第２の状態に切り替えると共に前記インバータ回路を冷却するファン装置の駆動を停止するように構成されていることを特徴とする電源装置。
【請求項２】
請求項１記載の電源装置において、
前記電源スイッチの後段に位置した一対の電源ライン間に、前記ＬＣフィルタ回路内のライン間コンデンサより容量が大きな補助コンデンサを接続したことを特徴とする電源装置。
【請求項３】
請求項２記載の電源装置において、
前記補助コンデンサは、前記一対の電源ライン間に突入電流抑制用抵抗を直列に介して接続されていることを特徴とする電源装置。
【請求項４】
請求項３記載の電源装置において、
オン状態で前記突入電流抑制用抵抗の両端を短絡する補助スイッチ要素と、
前記電源スイッチのオン後に所定の遅れ時間が経過したときに前記補助スイッチ要素をオンさせると共に、前記電源スイッチがオフされたときに前記補助スイッチ要素をオフさせる補助制御手段とを備えたことを特徴とする電源装置。
【発明の詳細な説明】
【０００１】
【発明の属する技術分野】
本発明は、交流電源から負荷に給電するための電源スイッチの前段にＬＣフィルタ回路を設けた電源装置に関する。
【０００２】
【従来の技術】
例えば電磁調理器のための電源装置には、加熱コイル駆動用のインバータ回路についてのＥＭＩ(Electro-Magnetic Interference) 対策を行って雑音端子電圧の低減を図るために、一次側（電源プラグ側）にコモンモードチョークコイル及びライン間コンデンサを組み合わせたＬＣフィルタ（ＥＭＣノイズフィルタ）を挿入することが一般的に行われている。この場合、電磁調理器のようにインバータ回路のようなスイッチング電源を含むものにおいては、ライン間コンデンサとして比較的大きな容量（例えば１μＦ程度）のものを使用する必要がある。但し、このようなコンデンサが使用される電気器具に対しては電気用品取締法による規制がある。具体的には、電気用品取締法には、電気器具の電源プラグを電源コンセントから引き抜いた後に１秒が経過した時点で、その電源プラグの端子間電圧（差し込み刃間の電圧）が４５Ｖ以下であることが規定されている。このような規定を満足するために、従来では、電源ライン間に放電用抵抗を接続してライン間コンデンサの放電時間を短縮することが行われている。
【０００３】
上記放電用抵抗は数百ＫΩ〜数ＭΩオーダーとされるのが一般的であり、このため、電源プラグが電源コンセントに差し込まれた状態での消費電力は微少なレベルに抑制される。しかしながら、近年では家庭用電気機器での待機電力の低減というニーズが極めて高くなっているため、このような微小電力でも放置できなくなっているという事情がある。
そこで、従来では、例えば特開２００１−９５２６１号公報に見られるように、電源投入状態でオフされて電源ライン間から放電用抵抗を切り離すと共に、電源遮断時にオンされてライン間コンデンサの充電電荷を放電用抵抗を通じて放電するスイッチング素子を設ける手段が考えられている。
【０００４】
【発明が解決しようとする課題】
上記公報に記載された手段では、放電用抵抗に起因した待機電力を零にできるが、ライン間コンデンサは電源ラインに接続されたままであるため、例えば、ライン間コンデンサの後段に電源スイッチが設けられていた場合には、そのコンデンサを通じて無効電流が流れるという欠点がある。また、電源事情が悪い状態時には、電源電圧波形の歪みによりコンデンサから異音が発生する場合があり、これは特に深夜などの静寂雰囲気においてユーザに不快感を与える原因となる。
【０００５】
本発明は上記事情に鑑みてなされたものであり、その目的は、ライン間コンデンサ及び放電用抵抗を備えたものでありながら、放電用抵抗での電力損失を零にできると共に、ライン間コンデンサを通じて無効電流が流れる事態及び当該コンデンサで異音が発生する事態を確実に防止できるなどの効果を奏する電源装置を提供することにある。
【０００６】
【課題を解決するための手段】
請求項１記載の発明は上記目的を達成するために、トッププレートを具備した電磁調理器の加熱コイルを駆動するインバータ回路に対し、オンされた状態で交流電源から給電する電源スイッチと、この電源スイッチと前記交流電源との間に介在された輻射ノイズ抑制用のＬＣフィルタ回路とを備えた電源装置において、
前記ＬＣフィルタ回路内のライン間コンデンサの充電電荷を放電するために設けられ常時において前記交流電源から切り離された放電用抵抗と、前記ライン間コンデンサを前記交流電源の両端に接続した第１の状態と前記ライン間コンデンサを前記放電用抵抗の両端に接続した第２の状態とに切り替わるスイッチ要素と、前記インバータ回路内のスイッチング素子の温度を検出するスイッチング素子用温度センサまたは前記加熱コイルによる加熱温度を検出するトッププレート用温度センサからの検出信号が入力される制御手段を備え、前記制御手段は、前記電源スイッチがオンのときに前記スイッチ要素を前記第１の状態に切り替え、前記電源スイッチがオフで且つ前記スイッチング素子用温度センサまたはトッププレート用温度センサによる検出温度が所定温度以下に低下したときに前記スイッチ要素を前記第２の状態に切り替えると共に前記インバータ回路を冷却するファン装置の駆動を停止するように構成されていることを特徴とする。
【０００７】
この構成によれば、放電用抵抗は常時において交流電源から切り離されているから、この放電用抵抗での電力損失ひいては待機電力を零にできる。また、電源スイッチがオンのときには、スイッチ要素が第１の状態に切り替えられて、ライン間コンデンサが交流電源の両端に接続された状態となる。これにより、ＬＣフィルタ回路が動作するようになって輻射ノイズに起因した雑音端子電圧を抑制する機能が得られる。この状態から電源スイッチがオフされ且つ前記スイッチング素子用温度センサまたはトッププレート用温度センサによる検出温度が所定温度以下に低下したときには、スイッチ要素が第２の状態に切り替えられて、ライン間コンデンサが放電用抵抗の両端に接続されるから、そのライン間コンデンサの充電電荷が放電用抵抗を通じて速やかに放電される。このように、交流電源から切り離された放電用抵抗の両端に対してライン間コンデンサが接続された場合には、そのライン間コンデンサも交流電源から切り離された状態となる。このため、電源スイッチのオフ状態時において、その電源スイッチ及び交流電源間に介在されたＬＣフィルタ回路内のライン間コンデンサを通じて無効電流が流れる事態や、電源電圧波形の歪みに起因してライン間コンデンサで異音が発生する事態を確実に防止できるようになる。
【０００８】
負荷がインバータ回路であった場合にはＥＭＩノイズが増大するため、ライン間コンデンサの容量を大きな値に設定することになる。このような場合には、ライン間コンデンサを通じて流れる無効電流が大きくなる可能性があるため、無効電流が流れる事態を確実に防止できるという前述した効果の有益性が高まることになる。
【０００９】
また、前記インバータ回路は電磁調理器の加熱コイルを駆動するために設けられたものである。
電磁調理器においては、ライン間コンデンサの容量をかなり大きな値に設定することになる。このような場合には、ライン間コンデンサを通じて流れる無効電流がさらに大きくなる可能性があるため、無効電流が流れる事態を確実に防止できるという前述した効果の有益性が一段と高まることになる。
【００１０】
請求項２記載の発明のように、前記電源スイッチの後段に位置した一対の電源ライン間に、前記ＬＣフィルタ回路内のライン間コンデンサより容量が大きな補助コンデンサを接続する構成としても良い。
このような構成によれば、負荷に近い位置に補助コンデンサが設けられているから、負荷からのノイズを抑制する効果が高くなる。特に、補助コンデンサは、その容量がＬＣフィルタ回路内のライン間コンデンサの容量より大きくなっているからノイズ抑制効果を一段と高め得るようになる。このような構成は、負荷のための配線基板とＬＣフィルタ回路のための配線基板とが離れて設置されている場合に特に有益となる。
【００１１】
この場合、請求項３記載の発明のように、前記補助コンデンサは、前記一対の電源ライン間に突入電流抑制用抵抗を直列に介して接続されたものであっても良い。
この構成によれば、電源投入時において、容量が比較的大きな補助コンデンサに対して大きな突入電流が流れる事態を未然に防止できる。
【００１２】
さらに、このように突入電力抑制用抵抗を設ける場合、請求項４記載の発明のように、オン状態で前記突入電流抑制用抵抗の両端を短絡する補助スイッチ要素と、前記電源スイッチのオン後に所定の遅れ時間が経過したときに前記補助スイッチ要素をオンさせると共に、前記電源スイッチがオフされたときに前記補助スイッチ要素をオフさせる補助制御手段とを備えた構成とすることができる。
この構成によれば、電源投入時に突入電流抑制用抵抗を機能させた後には、その突入電流抑制用抵抗の両端が補助スイッチ要素により短絡されて、補助コンデンサの両端が一対の電源ライン間に接続された状態となる。このため、前記補助コンデンサによるノイズ抑制効果を最大限に発揮させ得るようになる。
【００１３】
なお、前記電源スイッチのオフ状態で前記制御手段に電源を供給する補助電源回路と、オン状態で前記交流電源を前記負荷に供給する補助電源スイッチとを備えた上で、前記制御手段を、外部からの動作指令を受けたときに前記補助電源スイッチをオン状態に切り替えると共に、前記スイッチ要素を前記第１の状態に切り替える動作を実行し、前記補助電源スイッチがオフ状態に復帰し且つ前記スイッチング素子用温度センサまたはトッププレート用温度センサによる検出温度が所定温度以下に低下したときに前記スイッチ要素を前記第２の状態に切り替える動作を実行する構成とすることができる。
この構成によれば、電源スイッチがオフされた状態でも、制御手段が補助電源回路から電源供給されて動作している。この制御手段は、外部から例えば携帯電話機のような通信手段を通じて動作指令を受けたときに、前記補助電源スイッチをオン状態に切り替える。すると、交流電源が負荷に供給されるようになって、その負荷を駆動可能な状態になる。また、このときには、制御手段によりスイッチ要素が前記第１の状態に切り替えられるから、ライン間コンデンサが交流電源の両端に接続された状態となる。これにより、ＬＣフィルタ回路が動作するようになって負荷の駆動に伴う輻射ノイズを抑制する機能が得られる。その後に、前記補助電源スイッチがオフ状態に復帰し且つ前記スイッチング素子用温度センサまたはトッププレート用温度センサによる検出温度が所定温度以下に低下したときには、制御手段が前記スイッチ要素を前記第２の状態に切り替える。すると、ライン間コンデンサが放電用抵抗の両端に接続されるから、そのコンデンサの充電電荷が放電用抵抗を通じて速やかに放電される。
【００１４】
【発明の実施の形態】
（第１の実施の形態）
以下、本発明を電磁調理器に適用した第１実施例について図１を参照しながら説明する。
図１において、電磁調理器１は、商用交流電源２に接続された電源コンセントに対し電源プラグ（何れも図示せず）を介して接続されている。その電源プラグの両端に接続された一対の電源ラインＬ１及びＬ２には、輻射ノイズ抑制用のＥＭＩフィルタとして機能するＬＣフィルタ回路３が介在されている。
【００１５】
このＬＣフィルタ回路３は、電源ラインＬ１及びＬ２に対し直列に挿入されたコモンモードチョークコイル４と、第１のリレー５のリレースイッチ５Ｂ（本発明でいうスイッチ要素に相当）を介して電源ラインＬ１及びＬ１間に接続されるライン間コンデンサ（以下、単にコンデンサと呼ぶ）６とにより構成されている。上記リレースイッチ５Ｂは、２回路切替形式のもので、リレーコイル５Ａに通電された状態で接点（ｃ−ａ）間をオンした第１の状態に切り換わり、リレーコイル５Ａが断電された状態で接点（ｃ−ｂ）間をオンした第２の状態に切り替わる。
【００１６】
この場合、リレースイッチ５Ｂは、常開接点ａが電源ラインＬ１に接続され、常閉接点ｂが放電用抵抗７を介して電源ラインＬ２に接続され、さらに、共通接点ｃがコンデンサ６を介して電源ラインＬ２に接続されている。従って、コンデンサ６は、リレースイッチ５Ｂが第１の状態（接点（ｃ−ａ）間オン状態）に切り替わったときに電源ラインＬ１及びＬ２間（商用交流電源２の両端）に接続され、リレースイッチ５Ｂが第２の状態（接点（ｃ−ｂ）間オン状態）に切り替わったときに放電用抵抗７の両端に接続されることになる。
ここで、上記コンデンサ６及び放電用抵抗７の放電時定数は、例えば１秒以下に設定される。また、放電用抵抗７は、常時において商用交流電源２から切り離された状態を呈している。但し、ここで言う商用交流電源２から切り離された状態とは、電源ラインＬ１及びＬ２間から給電されない状態を指す。
【００１７】
負荷としてのインバータ回路８は、電磁調理器１用の加熱コイル（図示せず）を駆動するためのもので、その一方の電源端子が電源ラインＬ１′及び電源スイッチ９を介して電源ラインＬ１に接続され、他方の電源端子が電源ラインＬ２に接続された構成となっている。電源スイッチ９の後段に位置した電源ラインＬ１′と電源ラインＬ２との間には、第２のリレー１０のリレーコイル１０Ａが接続されると共に、分圧抵抗１１ａ及び１１ｂの直列回路より成る電圧検出回路１１が接続される。この場合、電圧検出回路１１は、電源スイッチ９がオンされた状態で分圧回路１１ａ及び１１ｂの共通接続点から検出信号を発生するものであり、その検出信号を後述する制御回路１２（制御手段、補助制御手段に相当）の信号入力端子Ｓ１に与える構成となっている。
【００１８】
上記リレーコイル１０Ａは、その通電状態で常開形のリレースイッチ１０Ｂをオンさせる構成のもので、前記制御回路１２は、一方の電源端子Ｐ１が当該リレースイッチ１０Ｂを介して電源ラインＬ１に接続され、他方の電源端子Ｐ２が電源ラインＬ２に接続されている。また、第１のリレー５は、リレースイッチ５Ｂの他に、常開形のリレースイッチ５Ｃを備えており、このリレースイッチ５Ｃは前記リレースイッチ１０Ｂと並列に接続されている。尚、図示しないが、制御回路１２は、電源端子Ｐ１及びＰ２間に供給される交流電力に基づいて制御用電源となる直流定電圧を発生する電源回路を内蔵している。
【００１９】
ファン装置１３は、前記インバータ回路８及び図示しない加熱コイルなどを冷却するために設けられている。駆動回路１４は、制御回路１２からの指令に応じてファン装置１３を駆動するためのもので、その一方の電源端子がリレースイッチ５Ｃ及び１０Ｂを並列に介して電源ラインＬ１に接続され、他方の電源端子が電源ラインＬ２に接続されている。
【００２０】
制御回路１２は、信号出力端子Ｑ１及びＱ２からの指令信号によりインバータ回路８及び駆動回路１４の制御を行うと共に、出力端子Ｑ３及びＱ４からの出力によりリレーコイル５Ａの通断電制御を行い得るようになっている。また、図示しないが、電磁調理器１には、インバータ回路８内のスイッチング素子の温度を検出するスイッチング素子用温度センサ及びトッププレートの温度を検出するトッププレート用温度センサが設けられており、これら温度センサによる検出出力も制御回路１２に与えられる構成となっている。さらに、制御回路２には、図示しない操作パネルからの操作信号も入力されるようになっている。
【００２１】
この制御回路１２は、例えばマイクロコンピュータを主体に構成されたもので、予め設定されたプログラム並びに上記のような各入力信号などに基づいた制御動作を行うようになっている。以下においては、制御回路１２による制御内容について関連した作用と共に説明する。
【００２２】
即ち、電源スイッチ９がオフされた初期状態では、リレーコイル１０Ａが断電されているためリレースイッチ１０Ｂがオフされている。また、制御回路１２は、電源スイッチ９がオン状態からオフされたときには、所定の制御動作を実行した後にリレーコイル５Ａをオフする構成となっている。このため、リレースイッチ５Ｂが常閉側の接点（ｃ−ｂ）間をオンした第２の状態を呈しており、また、リレースイッチ５Ｃがオフされている。
【００２３】
このような状態から電源スイッチ９がオンされたときには、インバータ回路８に対し電源が供給されると共に、リレーコイル１０Ａに通電されてリレースイッチ１０Ｂがオンされるため、電源ラインＬ１及びＬ２間から制御回路１２及び駆動回路１４に給電されるようになる。制御回路１２は、このように電源供給されたときにはリレーコイル５Ａに通電開始する制御動作を行う構成となっている。
【００２４】
このため、電源スイッチ９のオン後に所定の遅れ時間（制御回路１２の電源立ち上がり時間や第１のリレー５の動作遅れ時間などの合計時間）が経過したときに、リレースイッチ５Ｂが常開側の接点（ｃ−ａ）間をオンした第１の状態に切り替られると共に、リレースイッチ５Ｃがオンされるようになる。このようにリレースイッチ５Ｂが第１の状態に切り替えられると、コンデンサ６が電源ラインＬ１及びＬ２間に接続された状態となって、ＬＣフィルタ回路３が機能するようになる。
また、制御回路１２は、自身がオンオフ制御するリレースイッチ５Ｃを通じて電源供給されるという自己保持状態を呈するようになる。尚、電源スイッチ９のオン状態では、電圧検出回路１１から検出信号が出力されて制御回路１２の信号入力端子Ｓ１に与えられた状態となる。このため、制御回路１２においては、当該検出信号の消失に基づいて電源スイッチ９がオフされた状態を直ちに検知できるようになる。
【００２５】
制御回路１２は、図示しない操作パネルから調理開始を指令する操作信号が与えられたときには、インバータ回路８を所定出力（操作パネルを通じた指令値に応じた出力）で駆動すると共に、駆動回路１４を通じてファン装置１３の駆動するものであり、以て調理動作（誘導加熱動作）が開始される。このようにインバータ回路８が駆動されるのに伴い発生する輻射ノイズはＬＣフィルタ回路３により減衰されるから、雑音端子電圧が抑制されることになる。また、このような調理動作時には、放電用抵抗７が電源ラインＬ１及びＬ２間から切り離されているため、当該放電用抵抗７で電力損失が発生することはない。
【００２６】
この後に、電源スイッチ９がオフされたときには、インバータ回路８の電源が遮断されてその駆動が停止される。また、リレーコイル１０Ａが断電されるため、リレースイッチ１０Ｂがオフされるが、制御回路１２の電源はリレースイッチ５Ｃを通じて維持される。さらに、電源スイッチ９がオフされたときには、電圧検出回路１１からの検出信号が消失するため、制御回路１２は、その消失に基づいて電源スイッチ９がオフされたことを検知する。制御回路１２は、電源スイッチ９のオフを検知したときには、図示しないスイッチング素子用温度センサ及びトッププレート用温度センサによる検出温度が所定温度以下に低下するまでリレーコイル５Ａへの通電状態を維持する。従って、この間はファン装置１３の駆動が継続されて、インバータ回路８内のスイッチング素子などの冷却運転が続行される。制御回路１２は、その後において上記各センサによる検出温度が所定温度以下に低下したときにリレーコイル５Ａを断電する。
【００２７】
すると、リレースイッチ５Ｃがオフされて制御回路１２及び駆動回路１４の電源が遮断されると共に、リレースイッチ５Ｂが常閉側の接点（ｃ−ｂ）間をオンした第２の状態に復帰するようになる。このような復帰に応じてコンデンサ６が放電用抵抗７の両端に接続されるから、そのコンデンサ６の充電電荷が放電用抵抗７を通じて速やかに放電される。尚、電源スイッチ９がオフされた状態で、電磁調理器１の電源プラグが電源コンセントから引き抜かれたときには、コンデンサ６が電源ラインＬ１及びＬ２間から既に切り離された状態となっている。また、電源スイッチ９のオン状態で電源プラグが引き抜かれたときには、リレーコイル５Ａの断電に応じてリレースイッチ５Ｂが第２の状態に復帰する。このため、コンデンサ６が電源ラインＬ１及びＬ２間から切り離された状態となる。
【００２８】
以上要するに、上記した本実施例の構成によれば以下に述べるような作用・効果を奏することができる。
放電用抵抗７は、電源スイッチ９のオン時及びオフ時の何れの期間においても電源ラインＬ１及びＬ２間から切り離されているから、この放電用抵抗７での電力損失を零にでき、当然、電源スイッチ９のオフ期間における待機電力も零にできる。また、電源スイッチ９がオンされたときには、リレースイッチ５Ｂが常開側の接点（ｃ−ａ）間をオンした第１の状態に切り替えられて、ＬＣフィルタ回路３内のコンデンサ６が電源ラインＬ１及びＬ２間に接続された状態となるから、ＬＣフィルタ回路３が機能するようになる。このため、インバータ回路８の駆動に伴い発生する輻射ノイズがＬＣフィルタ回路３により減衰され、以て雑音端子電圧の増大が抑制されるようになる。
【００２９】
この状態から電源スイッチ９がオフされたときには、リレースイッチ５Ｂが常閉側の接点（ｃ−ｂ）間をオンした第２の状態に切り替えられて、コンデンサ６が放電用抵抗７の両端に接続されるから、そのコンデンサ６の充電電荷が放電用抵抗７を通じて速やかに放電される。このように、電源ラインＬ１及びＬ２間から切り離された放電用抵抗７の両端に対してコンデンサ６が接続された場合には、当該コンデンサ６も電源ラインＬ１及びＬ２間から切り離された状態となる。このため、電源スイッチ９のオフ状態時において、その電源スイッチ９と商用交流電源１との間に介在されたＬＣフィルタ回路３内のコンデンサ６を通じて無効電流が流れる事態や、電源電圧波形の歪みに起因してコンデンサ６で異音が発生する事態を確実に防止できるようになる。
【００３０】
特に、本実施例のように、負荷がインバータ回路８であった場合にはＥＭＩノイズが増大するため、コンデンサ６の容量を大きな値に設定することになる。このような場合には、コンデンサ６を通じて流れる無効電流が大きくなる可能性があるため、無効電流が流れる事態を確実に防止できるという上述のような効果の有益性が高まることになる。また、本実施例のような電磁調理器１においては、コンデンサ６の容量をかなり大きな値に設定することになる。このような場合には、コンデンサ６を通じて流れる無効電流がさらに大きくなる可能性があるため、無効電流が流れる事態を確実に防止できるという前述した効果の有益性が一段と高まることになる。
【００３１】
電磁調理器１の電源プラグが電源コンセントから引き抜かれたときには、コンデンサ６が電源ラインＬ１及びＬ２間から切り離された状態となる。このため、電気用品取締法の規定（電源プラグを電源コンセントから引き抜いた後に１秒が経過した時点で、その電源プラグの端子間電圧が４５Ｖ以下であること）に対処できることになる。また、コンデンサ６及び放電用抵抗の放電時定数が１秒以下に設定されているから、電磁調理器１のメンテナンス時に分解作業を行った場合などにおいて、その作業者が感電する恐れがなくなる。
【００３２】
（第２の実施の形態）
図２には本発明の第２実施例が示されており、以下これについて第１実施例と異なる部分のみ説明する。
この第２実施例では、図２に示すように、電源スイッチ９の後段に位置した電源ラインＬ１′及びＬ２間に、ＬＣフィルタ回路３内のコンデンサ６より容量が大きな補助コンデンサ１５を接続した構成としている。
【００３３】
この構成によれば、負荷であるインバータ回路８に近い位置に補助コンデンサ１５が設けられているから、インバータ回路８からのノイズを抑制する効果が高くなる。特に、補助コンデンサ１５は、その容量がコンデンサ６の容量より大きくなっているからノイズ抑制効果を一段と高め得るようになる。このような構成は、インバータ回路８のための配線基板とＬＣフィルタ回路３のための配線基板とが離れて設置されている場合に特に有益となる。
【００３４】
（第３の実施の形態）
図３には、上記第２実施例に変更を加えた本発明の第３実施例が示されており、以下これについて第２実施例と異なる部分のみ説明する。
この第３実施例は、図３に示すように、補助コンデンサ１５が、電源ラインＬ１′及びＬ２間に突入電流抑制用抵抗１６を直列に介して接続された構成となっていることに特徴を有する。
【００３５】
この構成によれば、電源投入時において、容量が比較的大きな補助コンデンサ１５に対して大きな突入電流が流れる事態を未然に防止できる。これにより、電源スイッチ９の負担を軽減できるようになり、その寿命長期化などを図る上で有益になる。
【００３６】
（第４の実施の形態）
図４には、上記第３実施例に変更を加えた本発明の第４実施例が示されており、以下これについて第３実施例と異なる部分のみ説明する。
この第４実施例では、図４に示すように、突入電流抑制用抵抗１６と並列に第３のリレー１７の常開形のリレースイッチ１７Ｂ（補助スイッチ要素に相当）を接続している。この第３のリレー１７のリレーコイル１７Ａは、第１のリレー５のリレーコイル５Ａと並列に接続されている。従って、リレースイッチ１７Ｂは、電源スイッチ９のオンに応じて制御回路１２に電源供給された後に、所定の遅れ時間が経過したときにオンされることになり。そのオン状態では、突入電流抑制用抵抗１６の両端が短絡される。
【００３７】
この構成によれば、電源投入時に突入電流抑制用抵抗１６を機能させた後には、当該抵抗１６の両端がリレースイッチ１７Ｂにより短絡されて、補助コンデンサ１５の両端が電源ラインＬ１′及びＬ２間に接続された状態となる。このため、当該補助コンデンサ１５によるノイズ抑制効果を最大限に発揮させ得るようになる。
【００３８】
（第５の実施の形態）
図５及び図６には本発明の第５実施例が示されており、以下これについて前記第１実施例と異なる部分のみ説明する。
この第５実施例では、図５に示すように、電源スイッチ９と並列に第４のリレー１８のリレースイッチ１８Ｂ（補助電源スイッチに相当）を接続している。この第４のリレー１８のリレーコイル１８Ａはリレーコイル５Ａと並列に接続されている。
【００３９】
図６には、本実施例における制御回路５′（制御手段に相当）の概略的な内部構成が機能ブロックの組み合わせにより示されている。この図６において、制御回路５′は、マイコン１９を主体に構成されており、この他に以下に述べる構成要素が設けられている。即ち、電源端子Ｐ１及びＰ２間に供給される交流電力に基づいてマイコン１９の制御用電源となる直流定電圧を発生する電源回路２０、この電源回路２０が動作停止している状態時にマイコン１９の制御用電源となる補助電源回路２１（例えば二次電池或いは大容量のコンデンサなどにより構成できる）、インバータ回路８を制御するためのＩＨ制御回路２２、リレーコイル５Ａ及び１８Ａを駆動するためのリレー駆動回路２３、外部の通信装置２４（例えば携帯電話機）からの指令を受けてマイコン１９に与える通信制御回路２５が設けられている。
尚、図６中に示していないが、ＩＨ制御回路２２、リレー駆動回路２３の電源は電源回路２０から与えられる構成となっており、特にリレー駆動回路２３の電源は補助電源回路２１からも与えられる構成となっている。また、通信制御回路２５の電源は、補助電源回路２１から与えられる構成となっているが、電源回路２０が動作した状態では当該電源回路２０から供給される構成としても良い。
【００４０】
この場合、マイコン１９は、電源スイッチ９のオフ状態では補助電源回路２１から電源供給されて動作しており、通信装置２４からの調理開始指令を通信制御回路２５を通じて受けたときに、リレーコイル５Ａ及び１８Ａにリレー駆動回路２３を通じて通電する。これにより、これによりリレースイッチ５Ｂが接点（ｃ−ａ）間をオンした第１の状態に切り替えられてＬＣフィルタ回路３が機能するようになる。また、リレースイッチ１８Ｂがオンされてインバータ回路８の電源が供給されるようになる。さらに、これと同時にリレースイッチ５Ｃがオンされて、電源回路２０が動作するようになり、その電源回路２０からマイコン１９、ＩＨ制御回路２２などに電源供給されるようになる。
【００４１】
マイコン１２は、電源回路２０から電源供給された状態となったときに、ＩＨ制御回路２２を通じてインバータ回路８を駆動し、以て誘導加熱調理を開始させる。また、マイコン１２は、誘導加熱調理時間を例えばタイマにより監視しており、そのタイマがタイムアップしたときに、インバータ回路８の駆動を停止すると共にリレーコイル５Ａ及び１８Ａを断電する。これにより、ＬＣフィルタ回路３内のコンデンサ６の充電電荷が放電用抵抗７を通じて放電されると共に、インバータ回路８及び電源回路２０への電源供給が遮断され、マイコン１９は補助電源回路２１から電源供給された状態に戻ることになる。
このような構成によっても前記第１実施例と同様の効果を奏するものであり、特に本実施例によれば、電磁調理器１の付加価値の向上を実現できることになる。
【００４２】
（その他の実施の形態）
尚、本発明は上記した実施例に限定されるものではなく、次のような変形または拡張が可能である。
負荷としては電磁調理器用のインバータ回路に限られるものではなく、輻射ノイズを発生する機器全般に適用できる。
【００４３】
【発明の効果】
本発明によれば以上の説明によって明らかなように、ＬＣフィルタ回路用のライン間コンデンサ及びこのライン間コンデンサの充電電荷を放電するための放電用抵抗を備えた電源装置において、その放電用抵抗を、常時において交流電源から切り離した状態とした上で、前記ライン間コンデンサを交流電源の両端に接続した第１の状態と前記ライン間コンデンサを前記放電用抵抗の両端に接続した第２の状態とに切り替わるスイッチ要素と、電源スイッチがオンのときに前記スイッチ要素を前記第１の状態に切り替え、前記電源スイッチがオフで且つ前記スイッチング素子用温度センサまたはトッププレート用温度センサによる検出温度が所定温度以下に低下したときに前記スイッチ要素を前記第２の状態に切り替えると共に前記インバータ回路を冷却するファン装置の駆動を停止する制御手段とを設ける構成としたから、前記放電用抵抗での電力損失を零にできると共に、前記ライン間コンデンサを通じて無効電流が流れる事態及び前記ライン間コンデンサで異音が発生する事態を確実に防止できるなどの有益な効果を奏するものである。
【図面の簡単な説明】
【図１】本発明の第１実施例を示す回路構成図
【図２】本発明の第２実施例を示す図１相当図
【図３】本発明の第３実施例を示す図１相当図
【図４】本発明の第４実施例を示す図１相当図
【図５】本発明の第５実施例を示す図１相当図
【図６】要部の機能ブロック図
【符号の説明】
１は電磁調理器、２は商用交流電源、３はＬＣフィルタ回路、４はコモンモードチョークコイル、５は第１のリレー５、５Ｂはリレースイッチ（スイッチ要素）、６はライン間コンデンサ、７は放電用抵抗、８はインバータ回路（負荷）、９は電源スイッチ、１０は第２のリレー、１１は電圧検出回路、１２は制御回路（制御手段、補助制御手段）、１５は補助コンデンサ、１６は突入電流抑制用抵抗、１７は第３のリレー、１７Ｂはリレースイッチ（補助スイッチ要素）、１８は第４のリレー、１８Ｂはリレースイッチ（補助電源スイッチ）、１９はマイコン、２０は電源回路、２１は補助電源回路、２５は通信制御回路、Ｌ１、Ｌ１′、Ｌ２は電源ラインを示す。
【図１】
0003926143.tif 000002
【図２】
0003926143.tif 000003
【図３】
0003926143.tif 000004
【図４】
0003926143.tif 000005
【図５】
0003926143.tif 000006
【図６】
0003926143.tif 000007